(57)【特許請求の範囲】
【請求項１】
碍子に巻き掛けられてターンしたケーブルにおける一対の対向部分を挟み込んだ状態で連結可能に構成された一対の分割体を備え、
該一対の分割体のそれぞれには、前記ケーブルにおける一対の対向部分を並列状態で配置可能な凹部が形成され、
該凹部は、前記ケーブルにおける一対の対向部分のうちの一方の部分を配置する第一の領域と、他方の部分を配置する第二の領域とを有し、いずれか一方の領域における凹部に配置されるケーブルの長手方向の長さは、他方の領域に配置されるケーブルの長手方向の長さよりも長いことを特徴とするケーブル結束具。
【請求項２】
前記第一の領域と前記第二の領域とが隣接して配置され、前記第一の領域と前記第二の領域との境界において、前記ケーブルにおける一対の対向部分を互いに接触させた状態で配置可能に構成されることを特徴とする請求項１に記載のケーブル結束具。
【請求項３】
前記凹部を画定する内面には、ケーブルにおける一対の対向部分に対して圧接可能な複数の凸部が、ケーブルの長手方向に所定の間隔をおいて形成されることを特徴とする請求項１又は２に記載のケーブル結束具。
【発明の詳細な説明】
【技術分野】
【０００１】
本発明は、碍子に巻き掛けられた高圧引下線等の電線を結束するケーブル結束具に関する。
【背景技術】
【０００２】
一般的な電柱には、例えば、図５に示す如く、電柱１００の上部に取り付けられた第一の腕金１０１と、該第一の腕金１０１に配置された複数の碍子１０２と、該各碍子１０２にそれぞれ支持された三相の高圧線Ｃと、第一の腕金１０１の下方に取り付けられた第二の腕金１０３と、該第二の腕金１０３に支持された変圧器１０４とが設けられる。
【０００３】
変圧器１０４には、各相の高圧線Ｃから分岐された高圧引下線Ｃ１が接続される。該高圧引下線Ｃ１は、第一の腕金１０１の下側に配置された上側の高圧引留碍子Ａ１、及び第二の腕金１０３の上側に配置された下側の高圧引留碍子Ａ２に固定される。
【０００４】
すなわち、高圧引下線Ｃ１は、第一の腕金１０１に固定された高圧引留碍子Ａ１、及び第二の腕金１０３に固定された高圧引留碍子Ａ２のそれぞれに巻き掛けられて、高圧引留碍子Ａ１，Ａ２を基準にターンした高圧引下線Ｃ１の対向部分にバインド線１１０を巻き付けて束ねることにより、高圧引留碍子Ａ１，Ａ２に結束される。一般的には、前記高圧引下線Ｃ１の対向部分に十回程度、該対向部分から下方に延びる部分に五回程度巻回され、これによって、高圧引下線Ｃ１は、高圧引留碍子Ａ１，Ａ２に固定される（特許文献１参照）。
【先行技術文献】
【特許文献】
【０００５】
【特許文献１】特開２００８−９２６８７号公報
【発明の概要】
【発明が解決しようとする課題】
【０００６】
ところで、図６に示すように、高圧引留碍子Ａ１，Ａ２に対して高圧引下線Ｃ１をバインド線１１０で固定する手作業は、時間と労力を要する。また、バインド線１１０の巻き数、巻き付け強度、巻き付けピッチ等は、作業者の個人の技量に委ねられるため、バインド線１１０の巻き数が不足したり、バインド線１１０に緩みが生じたりすることもある。
【０００７】
そこで、本発明は、上記問題に鑑み、碍子に巻き掛けられたケーブルにおける一対の対向部分を容易に結束できるようにしたケーブル結束具を提供することを目的とする。
【課題を解決するための手段】
【０００８】
本発明に係るケーブル結束具は、碍子に巻き掛けられてターンしたケーブルにおける一対の対向部分を挟み込んだ状態で連結可能に構成された一対の分割体を備え、該一対の分割体のそれぞれには、前記ケーブルにおける一対の対向部分を並列状態で配置可能な凹部が形成され、該凹部は、前記ケーブルにおける一対の対向部分のうちの一方の部分を配置する第一の領域と、他方の部分を配置する第二の領域とを有し、いずれか一方の領域における凹部に配置されるケーブルの長手方向の長さは、他方の領域に配置されるケーブルの長手方向の長さよりも長いことを特徴とする。
【０００９】
かかる構成によれば、碍子に巻き掛けられたケーブルにおける一対の対向部分を一対の分割体を連結して挟み込むだけであるため、前記ケーブルにおける一対の対向部分を容易に結束できるようになり、作業性が向上する。また、前記ケーブルにおける一対の対向部分のうちの一方の部分を配置する第一の領域、及び他方の部分を配置する第二の領域のうち、いずれか一方の領域における凹部に配置されるケーブルの長手方向の長さは、他方の領域に配置されるケーブルの長手方向の長さよりも長いため、前記ケーブルにおける一対の対向部分のうちのいずれか一方の部分は、ケーブルの長手方向にある配線箇所への配線が容易に行える。これに対して、前記ケーブルにおける一対の対向部分のうちのいずれか他方の部分は、ケーブルの長手方向とは異なる方向にある配線箇所への配線が容易に行える。
【００１０】
本発明に係るケーブル結束具の一態様として、前記第一の領域と前記第二の領域とが隣接して配置され、前記第一の領域と前記第二の領域との境界において、前記ケーブルにおける一対の対向部分を互いに接触させた状態で配置可能に構成されることが好ましい。
【００１１】
かかる構成によれば、隣接して配置される前記第一の領域と前記第二の領域との境界において、前記ケーブルにおける一対の対向部分を接触させた状態で配置可能であるため、碍子に対してケーブルが弛みのない状態で、且つ分割体に対してケーブルが位置決めされた状態で一対の分割体の連結が行われる。したがって、作業性がより向上する。
【００１２】
本発明に係るケーブル結束具の他態様として、前記凹部を画定する内面には、ケーブルにおける一対の対向部分に対して圧接可能な複数の凸部が、ケーブルの長手方向に所定の間隔をおいて形成されることが好ましい。
【００１３】
かかる構成によれば、前記ケーブルにおける一対の対向部分に対して、該ケーブルの長手方向に凸部が圧接する。これにより、ケーブルにおける一対の対向部分が複数の凸部によって挟み込まれるため、ケーブルにおける一対の対向部分を位置固定することができる。
【発明の効果】
【００１４】
以上のように、本発明によれば、碍子に巻き掛けられたケーブルにおける一対の対向部分を容易に結束することができる。
【図面の簡単な説明】
【００１５】
【図１】図１は、本発明の一実施形態に係るケーブル結束具を碍子に巻き掛けられたケーブルにおける一対の対向部分に実装した状態を示す縦断面図である。
【図２】図２（ａ）は、ケーブル結束具を上側から見た断面図、図２（ｂ）は、ケーブル結束具を下側から見た断面図である。
【図３】図３は、同実施形態に係るケーブル結束具の連結部分を示す拡大断面図である。
【図４】図４は、同実施形態に係るケーブル結束具を示す展開図である。
【図５】図５は、一般的な電柱の構造を示す図である。
【図６】図６は、碍子に巻き掛けたケーブルにおける一対の対向部分をバインド線によって結束する従来のケーブル結束構造を示す斜視図である。
【発明を実施するための形態】
【００１６】
本発明の一実施形態に係るケーブル結束具について図面を参照しながら説明する。なお、本実施形態では、電柱の高圧引下線を引き留める碍子（高圧引留碍子）に適用する場合を例にとって説明する。
【００１７】
図１〜図４に示す如く、本実施形態に係るケーブル結束具１は、碍子Ａに巻き掛けられてターンしたケーブルＣにおける一対の対向部分を挟み込んだ状態で連結可能に構成された一対の分割体１０，１０を備える。
【００１８】
一対の分割体１０，１０は、互いの一側がケーブルＣの長手方向に沿って延びる直線状の折り目１２を挟んで線対称に配置される。この折り目１２によって、一対の分割体１０，１０は、互いの内面が対向するように折り曲げ可能に連結されるとともに、互いの他側が接離可能に構成される。
【００１９】
また、一対の分割体１０，１０の他側には、一対の分割体１０，１０が連結されたときに接合する一対の接合片１３，１４が形成される。
【００２０】
一方の接合片１３は、他方の接合片１４との対向面に形成された複数の突起１５と、間接活線操作棒によって把持するための凹状の把持部１３ａが形成される。該各突起１５には、環状の係止部１５ａが形成される。また、他方の接合片１４には、突起１５の対応した位置に、突起１５の係止部１５ａが貫通して係止する係止孔１６が複数形成される。
【００２１】
一対の分割体１０，１０のそれぞれには、ケーブルＣにおける一対の対向部分を並列状態で配置可能な凹部１１，１１が形成される。
【００２２】
凹部１１は、ケーブルＣにおける一対の対向部分のうちの一方の部分を配置する凹条の第一の領域１１ａと、他方の部分を配置する凹条の第二の領域１１ｂとを有し、いずれか一方の領域における凹部１１に配置されるケーブルＣの長手方向の長さは、他方の領域に配置されるケーブルＣの長手方向の長さよりも長い。
【００２３】
具体的には、第一の領域１１ａの一端及び第二の領域１１ｂの一端は、互いが同じ位置にあり、第一の領域１１ａの他端は、第二の領域１１ｂの他端に対してケーブルＣの長手方向にずれた位置（第二の領域１１ｂの他端よりも外方に向かって延出された位置）にある。
【００２４】
第一の領域１１ａと第二の領域１１ｂとの境界部位には、凸条の境界壁１１０が形成される。ケーブルＣにおける一対の対向部分は、該境界壁１１０を挟んだ両側（第一の領域１１ａ及び第二の領域１１ｂ）にそれぞれ配置される。境界壁１１０の高さは、互いに接合する一対の分割体１０の接合端面よりも低くなっている。また、第一の領域１１ａの境界壁１１０は、第二の領域よりもケーブルＣの長手方向に長い部分にも形成されている。この部分の境界壁１１０の高さは、前記接合端面と同じ高さになっている。
【００２５】
したがって、第一の領域１１ａ及び第二の領域１１ｂに、ケーブルＣにおける一対の対向部分がそれぞれ単独で配置されるとともに、互いに接触した状態で配置される。そして、ケーブルＣにおける一対の対向部分のうちの一方の部分は、ケーブルＣの長手方向にある配線箇所（下側の高圧引留碍子）への配線が容易になる。これに対して、ケーブルＣにおける一対の対向部分のうちの他方の部分は、ケーブルの長手方向とは異なる方向にある配線箇所（上側の高圧碍子）への配線が容易になる。
【００２６】
また、一対の凹部１１，１１が互いに向かい合うように、一対の分割体１０，１０が連結されることにより、一対の挿通孔２，２が隣接して形成される。この挿通孔２，２に、ケーブルＣにおける一対の対向部分が互いに接触した状態で挿通される。
【００２７】
また、凹部１１を画定する内面には、ケーブルＣにおける一対の対向部分に対して圧接可能な複数の凸部２１が、ケーブルＣの長手方向に所定の間隔をおいて形成される。具体的には、図４に示す如く、ケーブルＣの軸方向に対して直交方向（挿通孔２の周方向）に沿って溝２０が形成される。該溝２０は、ケーブルＣの延びる方向に沿って所定の間隔をおいて複数形成される。そして、各溝２０の間には、ケーブルＣにおける一対の対向部分に対して圧接可能な複数の凸部２１が形成される。この凸部２１がケーブルＣにおける一対の対向部分をケーブルＣの延びる方向に沿って圧接されることにより、ケーブルＣにおける一対の対向部分が複数の凸部２１によって挟み込まれ、挿通孔２においてケーブルＣにおける一対の対向部分が長手方向に沿って位置固定される。
【００２８】
つぎに本実施形態に係るケーブル結束具の使用態様について説明する。まず、作業者は、碍子ＡにケーブルＣを巻き掛けてターンさせて、ケーブルＣにおける一対の対向部分を予め形成する。
【００２９】
一方、作業者は、自己の作業位置において一対の分割体１０，１０の連結を予め解除し、一対の分割体１０，１０を半開した状態にしておく。
【００３０】
つぎに、作業者は、半開した状態の分割体１０，１０を間接活線操作棒によって把持し、ケーブルＣにおける一対の対向部分の近傍にもっていく。
【００３１】
つぎに、作業者は、半開した状態の分割体１０，１０の隙間からケーブルＣにおける一対の対向部分を挿入させ、凹部１１のうちの第一の領域１１ａに、ケーブルＣにおける一対の対向部分のうちの一方の部分を配置するとともに、第二の領域１１ｂに、ケーブルＣにおける一対の対向部分のうちの他方の部分を配置する。
【００３２】
この状態で、作業者は、前記間接活線操作棒とは別の間接活線操作棒により、他方の分割体１０を保持しつつ、一方の分割体１０を他方の分割体１０に向かって回動させて、一対の分割体１０，１０の内面同士を重ね合わせ、図３に示す如く、一方の接合片１３の突起１５を他方の接合片１４の係止孔１６に貫通させて係止し、一対の接合片１３，１４を接合させ、一対の分割体１０，１０を連結する（図１参照）。
【００３３】
これにより、一対の分割体１０，１０の内面のそれぞれに一対の挿通孔２が形成される。この挿通孔２には、図２（ａ），（ｂ）に示す如く、ケーブルＣの対向する部分が互いに接触した状態で配置される。さらに、凹部１１，１１の内面に形成された複数の凸部２１が、ケーブルＣにおける一対の対向部分に圧接する。これにより、ケーブルＣにおける一対の対向部分は、碍子Ａに対して弛みがない状態で結束される。
【００３４】
そして、ケーブルＣにおける一対の対向部分のうちの一方の部分が第一の領域２ａから引き出され、ケーブルＣにおける一対の対向部分のうちの他方の部分が第二の領域２ｂから引き出される。具体的には、ケーブルＣにおける一対の対向部分のうちの一方の部分が下側の高圧引留碍子に向かって引き出され、ケーブルＣにおける一対の対向部分のうちの他方の部分が上側の高圧碍子に向かって引き出される。
【００３５】
このように、本実施形態に係るケーブル結束具によれば、碍子Ａに巻き掛けたケーブルＣにおける一対の対向部分に対して一対の分割体１０，１０を連結するだけで、碍子Ａに巻き掛けられたケーブルＣの対向する部分を容易に結束することができ、作業性が向上する。
【００３６】
なお、本発明は、前記実施形態に限定されるものではなく、本発明の要旨を逸脱しない範囲で種々変更を加え得ることは勿論のことである。
【００３７】
例えば、前記実施形態の場合、碍子Ａに巻き掛けたケーブルＣにおける一対の対向部分を、境界壁１１０で隔てられた一対の第一の領域１１ａ及び第二の領域１１ｂに並列状態で配置するようにしたが、連続した領域内に前記ケーブルＣにおける一対の対向部分を並列状態で配置するようにしてもよい。
【００３８】
また、前記実施形態の場合、第一の領域１１ａの一端と、第二の領域１１ｂの一端とを同じ位置とし、第二の領域１１ｂの他端に対して第一の領域１１ａの他端の位置をケーブルＣの長手方向にずらすようにしたが、第二の領域１１ｂの両端に対して第一の領域１１ａの両端の位置をケーブルＣの長手方向にずらすようにしてもよい。要は、いずれか一方の領域から引き出されるケーブルＣの引き出し位置が、他方の領域の引き出し位置よりも外側にあればよい。
【００３９】
また、前記実施形態の場合、碍子Ａに巻き掛けたケーブルＣにおける一対の対向部分を対象にしたが、支持体に巻き掛けたケーブルＣにおける一対の対向部分にも適用することができる。
【符号の説明】
【００４０】
１…ケーブル結束具、１０…分割体、１１…凹部、１１ａ…第一の領域、１１ｂ…第二の領域、１１０…境界壁、１２…折り目、１３，１４…接合片、２…挿通孔、２０…溝、２１…凸部、１５…突起、１５ａ…係止部、１６…係止孔、Ａ…碍子、Ｃ…ケーブル
【図１】
0006504435.tif 000002
【図２】
0006504435.tif 000003
【図３】
0006504435.tif 000004
【図４】
0006504435.tif 000005
【図５】
0006504435.tif 000006
【図６】
0006504435.tif 000007